(57)【要約】  本発明は測定用の血液をそこから取り出し、アパーチャ（７）を通して搬送可能である貯蔵室（８）がハウジング（２）内に配置されている、一次止血の血小板機能、血液の凝集および／または凝固および／または粘性を測定するための流過装置に関する。貯蔵室（８）内には攪拌装置（１０、１１、１２、１３）が備えられ、該攪拌装置（１０、１１、１２、１３）はその攪拌部（１１）が測定中に前記貯蔵室（８）内にある血液を混合し、流動状態に保つように移動可能である。
2007522460.tif 000002
【特許請求の範囲】
【請求項１】
ハウジング（２）内に配置されていて、測定用の血液をそこから取り出し、アパーチャ（７）を通して搬送可能である貯蔵室（８）を有する、一次止血の血小板機能、血液の凝集および／または凝固および／または粘性を測定するための流過装置であって、
前記貯蔵室（８）内には攪拌装置（１０、１１、１２、１３）が備えられ、該攪拌装置（１０、１１、１２、１３）はその攪拌部（１１）が測定中に前記貯蔵室（８）内にある血液を混合し、流動状態に保つように移動可能であることを特徴とする流過装置。
【請求項２】
前記ハウジング（２）は内部にピストン（５）が配置されたシリンダ（４）を備え、該シリンダ（４）の床壁内には前記ピストン（５）の対応する移動時に血液が前記貯蔵室（８）から流過するアパーチャ（７）が配設されることを特徴とする請求項１に記載の装置。
【請求項３】
前記ハウジング（２）は血液を前記ハウジングの前記貯蔵室（８）内に充填可能な開口領域（２９）を備えることを特徴とする請求項１または２に記載の装置。
【請求項４】
前記開口領域（２９）は外側に向かって斜めにノズル状に延在する、前記ハウジング（２）の側壁領域（２８）によって囲まれた前記ハウジング（２）の張出し部の形状を備えることを特徴とする請求項３に記載の装置。
【請求項５】
前記貯蔵室（８）内にある前記攪拌装置の前記攪拌部（１１）は、前記ハウジング（２）の縦方向に延び、駆動装置（２３）によって前記ハウジング（２）の縦方向に移動可能な攪拌棒（１０）に取り付けられることを特徴とする請求項１から４のいずれか一項に記載の装置。
【請求項６】
前記攪拌部（１１）は円板の形状を有することを特徴とする請求項１から５のいずれか一項に記載の装置。
【請求項７】
前記攪拌部（１１）は前記ハウジング（２）の縦方向に対してほぼ垂直に延在することを特徴とする請求項１から６のいずれか一項に記載の装置。
【請求項８】
前記棒状部（１０）は前記攪拌部（１１）とは反対側に、前記ハウジング（２）の縦方向を貫いて半径方向に延び、スリット状の開口部（１４）から外側に突起した突出部（１３）を備え、該突出部は前記駆動装置によって、前記攪拌部（１１）が前記貯蔵室内で前記ハウジング（２）の縦方向に往復移動可能であるように移動可能であることを特徴とする請求項５から７のいずれか一項に記載の装置。
【請求項９】
前記ハウジング（２）は、該ハウジング（２）の縦方向に延び、前記貯蔵室（８）内に開かれた別の張出し部（６３から６５）を備え、該別の張出し部（６３から６５）の内部には前記貯蔵室（８）の領域内に棒状部が配置され、かつ前記張出し部（６３から６５）内には前記貯蔵室（８）の上方に前記スリット状開口部（１４）が配設されることを特徴とする請求項１から８のいずれか一項に記載の装置。
【請求項１０】
前記別の張出し部（６３から６５）は方形の断面を有することを特徴とする請求項９に記載の装置。
【請求項１１】
前記別の張出し部（６３から６５）は前記開口領域（２９）を形成する前記張出し部と対向して配置されることを特徴とする請求項９または１０に記載の装置。
【請求項１２】
前記アパーチャ（７）には前記貯蔵室（８）内に延びる吸引管（６）または毛細管が接続され、血液を前記貯蔵室（８）から前記吸引管（６）または毛細管を通って前記アパーチャ（７）へ搬送可能であることを特徴とする請求項６から１１のいずれか一項に記載の装置。
【請求項１３】
前記吸引管（６）または毛細管は前記円形部の前記開口部（１２）を貫いて延在することを特徴とする請求項６から１１のいずれか一項に記載の装置。
【請求項１４】
使い捨て部品として形成されることを特徴とする請求項１から１３のいずれか一項に記載の装置。
【請求項１５】
前記攪拌装置（１０、１１、１２、１３）は前記貯蔵室（８）の血液溜めの領域では前記貯蔵室（８）の周囲壁の固定面とは接触しないので、血液細胞またはその他の血液成分が圧搾され、その際に測定結果にエラーを生ずる可能性がある物質が不要に血液内に混入することが防止されることを特徴とする請求項１から１４のいずれか一項に記載の装置。
【請求項１６】
前記攪拌装置の前記攪拌部（１１）は無接触で前記貯蔵室内に支承され、かつ移動可能であることを特徴とする請求項１５に記載の装置。
【請求項１７】
前記攪拌装置の前記棒状部（１０）は無接触で前記別の張出し部（６３から６５）内に支承され、かつ移動可能であることを特徴とする請求項１５または１６に記載の装置。
【発明の詳細な説明】
【技術分野】
【０００１】
本発明は、血液がシリンダ内を移動可能なピストンを用いてアパーチャを通して吸入され、ピストンと吸引された血液との間の空間内の圧力が測定される、一次止血の血小板機能、血液の凝集および／または凝固および／または粘性を測定するための流過装置に関する。ピストンは駆動装置によって、例えば目標圧力値が空間内で保たれるように移動される。そこでピストンの運動はアパーチャを通る血液流量の尺度の役割を果たす。
【背景技術】
【０００２】
このような装置はＥＰ  ０  ２２３  ０４４  Ｂ１号に基づくものである。
【発明の開示】
【発明が解決しようとする課題】
【０００３】
本発明の目的は、混合の恐れなく極めて簡単な測定の実施が可能になるように上記の装置を形成することにある。
【課題を解決するための手段】
【０００４】
上記の目的は特許請求の範囲第１項の特徴を有する装置によって解決される。
【０００５】
本発明の重要な利点は、本発明による装置が、そのつど一回だけの測定が実施される一回性、または使い捨て部品の形態を有するので、本装置のアパーチャを通って流れる血液流量を極めて簡単に測定することができることである。したがって汚れの危険はない。したがってそのような汚れに起因する測定エラーを避けることができる。さらに使い捨て部品として形成された本装置は極めて簡単に測定装置に設置でき、測定を実施するために血液を極めて簡単かつ迅速に装置の充填口を通して装置の貯蔵室に充填することができ、本装置とその攪拌棒のピストンを作動するために必要な測定動作および圧力センサの位置決めも適宜の駆動装置を本装置と簡単かつ自動的に連結することによって可能である。
【０００６】
本発明のさらに別の利点は、本装置のピストンとシリンダとの間の死容積が極めて僅かしかないので、極めて僅かな血液量で測定が可能であることにある。
【０００７】
本発明の装置は、一回性または使い捨てであるので、コストがかかる保守作業や洗浄動作は有利なことに必要ない。
【０００８】
本発明の有利な実施形態は従属クレームから明らかにされる。
【発明を実施するための最良の形態】
【０００９】
以下に図面を参照して本発明およびその実施形態を詳細に説明する。
【００１０】
図１では血小板の凝集、血液の凝固または血液の粘性を測定するための本発明による装置が１で示されている。これはハウジング２、ピストン５、シリンダ４、攪拌装置１０、１１、１２、１３を含んでいる。
【００１１】
ハウジング２は図２、図３にも示すように、基本的に管状に形成されており、その下端部は床壁６０によって塞がれ、上端部は開かれている。ハウジング２の側壁は６１で示されている。この側壁６１は上端部に、半径方向外側に突起し、ハウジング２の上部開口を囲むフランジ１５を備えている。
【００１２】
側壁６１内には図１、図２によればハウジング２の右側に斜め外側に延在する張出し部があり、これはほぼノズル状に斜め外側に延びる側壁領域２８によって囲まれている。この張出し部によって充填室３が形成され、該充填室は、ハウジング２の上部開口に接続され、それを通って血液をハウジング２に充填可能な側部の開口領域２９を形成している。開口領域２９を通して充填された血液はハウジング２の床壁６０の方向に下方に流れ、床壁６０の前の貯蔵室８内に蓄積される。
【００１３】
ハウジング２の、好適には充填室３と対向する他方の側面領域ではハウジング２の側壁は好適には方形の別の張出し部を備え、これは図１、図２、図３に示すように側壁領域６３、６４、６５によって形成されている。その際に側壁領域６３は、ハウジング２の縦方向に延在し、ハウジング２の上部の１／３の長さに延びるスリット状の開口部１４を備えている。これらの別の張出し部６３〜６５とスリット状の開口部１４の機能は後に詳述する。
【００１４】
ハウジング２の内部には管状シリンダ４があり、これは上部開放端に、管状ハウジング２の上縁部に支持された半径方向外側に突起した管状フランジを有している。シリンダ４とハウジングとは好適には円形の断面をそれぞれ備えている。シリンダ４は下端部が床壁６６によって閉鎖されており、この床壁は、貯蔵室８内に突入し、ハウジング２の床壁６０の直前で終端している吸引管６と公知の方法で連結されている。吸引管６はシリンダ４の床壁６６内に配設された開口部６７と作用的に連通され、この開口部もアパーチャ７を介してシリンダ内部と連通している。その際にアパーチャ７を開口部６７内に密閉的に嵌込まれたアパーチャ・ホルダ７１内に配設することができる。床壁６６は好適には、開口部６７の延長部を形成し、床壁６０とは反対側の吸引管６の端部に密閉的に嵌込まれた、開口部６７に隣接した環状突起部６８を有している。
【００１５】
吸引管６は特定の測定目的のために極めて小さい直径を有することができるので、血管と類似した毛管を形成できることに留意されたい。
【００１６】
シリンダ４の内部には矢印７０の方向、すなわちハウジング２の縦方向に移動可能なピストン５があり、好適にはこれも円形の断面を有するピストン５の外壁はシリンダ４の内壁に対して密閉されている。ピストン５の直径は、ピストン外壁とシリンダ４の内壁との間に比較的小さいスリット７２ができるような寸法である。ピストン５は好適には中空に形成され、下端部は床壁７３によって閉鎖されている。
【００１７】
ピストン５とシリンダ４との間のスリット７２に対応する空間はシリンダ４の上端部で、好適にはシリンダ４のフランジ１７の領域に配設され、後に詳述する態様で前記空間内の圧力を測定する役割を果たす開口部１６と連通している。
【００１８】
ピストン５の床壁７３の、シリンダ４の床壁６６とは反対側には後に詳述する態様でピストン５を矢印７０の方向に移動するための引張り棒（図１には図示せず）と機械的に連結可能な連結部３４がある。
【００１９】
以下に上記の攪拌装置１０、１１、１２、１３を詳細に説明するが、これらは基本的に好適には円板状に形成された下部攪拌部１１と攪拌棒１０とからなっており、この攪拌棒はハウジング２の縦方向に張出し部６３、６４、６５内に延び、上端部にはスリット状開口部１４を通して側壁領域６３を越えて外側に突起した、攪拌棒１０を矢印７０と平行な方向に上下移動可能にする突出部１３を備えている。攪拌部１１は好適にはハウジング２の縦方向に延在し、毛細管６がそれを貫いて延びる貫通口１２をほぼ中央部に設けている。このようにして、後に詳述するように、攪拌部１１は貯蔵室８内に貯蔵された血液を混ぜ合わせるために攪拌棒１０の運動によって貯蔵室８内で矢印７０の方向に上下移動される。
【００２０】
シリンダ４は床壁７６の縁部領域でハウジング２内に形成されたショルダ７５を備え、ハウジング２と固定連結されている。
【００２１】
ピストン５をシリンダ４内でできるだけ精確かつ遊びがないように案内するため、好適にはシリンダ４の内壁周囲に均等に配分され、それぞれが縦方向に延びたウエブ７６を備え、これはシリンダ４の内壁から発してピストン５の外壁方向に延在しており、各ウエブ７６は好適にはピストン５の外壁に支承された先端部７７を形成している。あるいは、ウエブをピストンにも備え、その場合はシリンダに支承することも可能である。
【００２２】
ピストン５がシリンダ４に対して図１に概略的に示した環状パッキン・アセンブリ１８によって密閉されていることは既に述べたとおりである。以下に図４、図５、図６を参照して様々なパッキン・アセンブリ１８−１、１８−２、１８−３を説明する。
【００２３】
図４によればパッキン・アセンブリ１８−１はフランジ１７の内側溝１７−１またはピストン４の上縁部に配置されたＯリングパッキンの形態を備えている。
【００２４】
図５にはパッキン・アセンブリ１８−２がいわゆる二重方式で比較的硬質の材料からなるフランジ１７の上面、またはピストン４の上縁の上面に形成された軟質材料からなる、例えば黒鉛と合金されたシリコーン材料からなるパッキン部品である実施形態が示されている。二重方式の場合、ピストン４はフランジ１７およびパッキン・アセンブリ１８−２と同じ加工工程で製造される。
【００２５】
図６に記載のように、パッキン・アセンブリ１８−３はピストン４またはフランジ１７の材料からなる、フランジ１７の内面に形成された環状パッキン・リップの形態を有することも考えられる。
【００２６】
本発明の重要な利点は、これまで説明してきた装置１は一回性または使い捨ての部品の形態を有することであることに留意されたい。この装置は、測定を実施する際に、各装置が測定の実施のために一回しか使用されないので洗浄動作が不要であるという利点がある。したがって洗浄動作の不備による汚れを避けることができる。
【００２７】
好適には射出成形方式で製造される装置１の材料としては特にポリエチレンが適している。
【００２８】
以下に装置１で測定を実施するための測定機構８０をより詳細に説明する。
【００２９】
測定機構８０はフレームまたはハウジング体２０またはその類似部品内に装置１を収容するための収容室２１を備えており、この収容室２１は好適には装置１の外郭と相補形に形成されているので、装置を自動的に収容室２１の適正位置に嵌め込むことができる。したがって収容室２１も張出し部２８や６３、６４、６５用の収容領域を有している。
【００３０】
測定機構８０は異なる４つの駆動装置、すなわちピストン５と連結可能な引張り棒３２を移動させるための第１の駆動装置３３と、攪拌装置１０から１３を移動させるための第２の駆動装置２３と、圧力センサＳを移動させ、または位置合わせするための第３の駆動装置２５と、キャリッジ部２６を移動させるための第４の駆動装置２７とを含んでいる。その際にキャリッジ部２６と第１の駆動装置３３さらに該駆動装置によって作動可能な引張り棒３２は、第４の駆動装置２７によって引張り棒３２がピストン５と機械的に連結可能である測定位置と、ピストン５と引張り棒３２とが上方に移動し、互いに離脱され、装置１を収容室２１から取出し可能である解放位置とに移動可能である。
【００３１】
キャリッジ部２６は第４の駆動装置２７によって好適には矢印２８の方向に水平に前記測定位置と解放位置との間を移動可能である。キャリッジ部２６はフォーク部３０を備えており、この部分は収容室２１内にある装置１を介して、特に図７ａに示されているフォーク部８２の内縁部がシリンダ４のフランジ１７の上面に支承されるように移動されるので、後に詳述するように測定位置でピストン５が引張り棒３２の移動によってフォーク部８２で囲まれた切り欠き部を通って上方に引っ張られると、シリンダ４の上方移動が効果的に防止される。測定位置では、引張り棒３２とピストン５の軸は互いに位置合わせされるので、後により詳細に説明するように、引張り棒３２の上方移動によって引張り棒３２は連結装置３４内でピストン５と自動的に連結される。
【００３２】
収容室２１内に嵌込まれると装置１は、上記の開口部１６が駆動装置２５によって移動される圧力センサＳの矢印８３で示した移動方向に自動的に位置合わせされるように回動不能に固定されるので、駆動装置２５と共にセンサＳはシリンダ４とピストン５との間の空間内の圧力を測定するために完全な密閉状態で開口部１６内に移動可能である。
【００３３】
フォーク部３０のフォーク・アーム８２の上方にはキャリッジ２６に接した保持部８４があり、これは引張り棒３２を移動させるための駆動装置３３として、好適には保持部８４の穴８５を貫いて案内された引張り棒３２を矢印８６の方向に上下に移動可能なステップモータ３３を備えており、引張り棒３２の下端部は測定位置では図７に概略的に示した連結装置３４によってピストン５に機械的な連結可能であり、またはピストンから離脱可能である。
【００３４】
図８ａ、８ｂ、および９ａ、９ｂはこの連結装置の好適な実施形態を示す。
【００３５】
図９ａによれば引張り棒３２の下端部には内部が中空のキャップ状の連結部５０が形成され、その下側は縦方向に延びたスリットによって２つの半部に分割されている。キャップ状の連結部５０によって囲まれた中空室は下端部に内向きに円錐状のテーパー領域９０を備え、これはピストン５に固定された別の連結部５６用の引き込み斜面の役割を果たす。内向きに斜めのテーパー円錐形領域９０はほぼスリット５２の長さにわたって延在する円筒形領域９１に移行し、円錐形のテーパー領域９０と円筒形領域９１との間のほぼ移行領域にキャップ状連結部５０の内壁内に配設された、好適には半円の形状を有する内側溝５１が設けられている。キャップ状連結部５０の中空室は円錐形のテーパー領域９０とは反対側で、ピストン５の連結部の５６の中心突起部５５が嵌合可能な中心凹部５４内で終端している。好適には円筒形領域９１と中心凹部５４との間の移行部には中心領域５４に向かってテーパー領域５３があり、この領域はピストン５の第２の連結部５６の円錐形領域５７と相補形に形成されている。引張り棒３２の第１の連結部５０がピストン５の第２の連結部５６を越えて移動されると先ず、第２の連結部５６の円筒形領域を越えて半径方向に突起する円形突起部５８が引き込み斜面の役割を果たす円錐形領域９０に達するまで、突起部５５と第２の連結部５６の円錐形領域５７とが第１の連結部５０の中空室内で嵌合する。スリット５２の構造により第１の連結部５０は第２の連結部５６の環状突起部５８が第１の連結部５０の環状内側溝５１内に嵌るまでの幅と長さに拡張され、そこで中心突起部５５が中心凹部５４内に配置され、円錐形領域５３と５７とが互いに接合する。
【００３６】
逆の運動方向で第１の連結部５０が第２の連結部５６から離脱されると、キャップ状の第１の連結部５０はスリット５２があるため環状突起部５８が内側溝５１から外れるまで拡張される。そこで連結部５０と５６とは互いに分離される。
【００３７】
図９ａと９ｂの連結装置３４の実施形態は特に図１に示した装置１に適していることに留意されたい。
【００３８】
以下に図１０を参照して、シリンダ５０、アパーチャ・ホルダ５２、吸引管５３が図１の実施形態に対応して形成されている、本装置１のピストン／シリンダ構造の別の実施形態を説明する。シリンダ５０の内部では基本的にピストン部５１の周囲と一体のパッキン・リップ５５を有するピストン部５１を備えたピストン５４が移動可能であり、ピストン５４のアパーチャ５２とは反対側のピストン部５１には概略的に示した連結装置３４を介して引張り棒３２と連結可能な突出部８０が形成されている。この実施形態の利点はピストン５４が一体に形成されたパッキン・リップ５５を有する特に簡単な構造であることにある。ピストン５４とシリンダ５０との間の空間内の圧力を測定できるようにするため、ピストン部５１と突出部８０とを貫いて、また連結装置３４を越えて、かつ引張り棒３２を貫いて穴８２が延在し、これは図１０では点線で示され、圧力センサと気密閉的に連結可能な開口部５３内で終端している。
【００３９】
ここで図８ａ、図８ｂを参照して、特に図１０のピストン／シリンダ構造の実施形態に適した連結装置３４を説明する。この場合、突出部８０内に円筒形の中空室３９が配置され、突出部８０は端部領域で縦方向に延びるスリット４０によって好適には２つの半部に分割されている。円筒形の中空室３９は棒状部３２側の端部で円錐形に拡張された開口領域４２に移行しており、この領域の前には好適には半円の断面を有する環状の内側溝４１が備えられている。
【００４０】
引張り棒３２の端部にはピストン５４の突出部８０側の端部領域に引き込み斜面としての役割を果たす円錐形のテーパーの端部３７を有する突起部３５が備えられている。円錐形のテーパー領域３７の後部には、好適には突出部３５の環状凹部内に着座する環状パッキン３６が配置されている。縦方向にはパッキン・アセンブリ３６から離隔して突出部３５には突起部８０の内側溝４１と相補形に形成された環状突起４４がある。引張り棒３２がピストン５４の方向に移動されると、先ずパッキン３６を有する突出部３５の前端領域が突起部８０の円筒形中空室３９内に到達し、その際の円錐領域３７、４２は引き込み斜面の役割を果たす。それ以上に移動されると、突出部３５は環状突起４４が引き込み斜面の役割を果たす領域４２を越えて円筒形中空室３９に到達するまで円筒形中空室３９内に押し込まれ、その際にスリット４０によって分割された突起部８０の端部領域は環状突起４４が内側溝４１内に嵌合するまで弾性拡張される。次にパッキン３６によって突出部３５と突起部３８との密閉連結が行われる。
【００４１】
ピストン５４が固定位置に留まっている場合に棒状部３２が逆方向に移動すると、突起部８０の端部領域はスリット４０の構造により弾性拡張され、棒状部３２をピストン５４から分離するために突出部３５の環状突起４４は突起部８０の内側溝４１から外れることが可能になる。一方では棒状部３２内と突出部３５内に、他方では突起部８０と連結部５１内に位置する、図１０に関連して前述した穴８２の領域は、棒状部３２がピストン５４に連結されると円筒体３９内のパッキン３６の構造によって互いに密閉連結される。
【００４２】
以下に図７を参照して使い捨て部品として形成された装置１を使用した測定の実施をより詳細に説明する。
【００４３】
先ずキャリッジ部２６が解放位置にある場合、すなわち図７では駆動装置２７によって左側に移動されてフォーク・アーム８２が収容室２１を解放すると、装置１がハウジング体２０の収容室２１内に嵌込まれる。（図７ａ）
【００４４】
引き続き、装置１のシリンダ４がフォーク・アーム８２によって縦方向、すなわち上方への移動に抗して固定されるように、キャリッジ部２６が矢印２８の方向に測定位置に、すなわち図７、図７ａでは右方向に移動されるように駆動装置２７が作動される。これは図７ａでは点線Ｌで示されている。
【００４５】
引き続き、血液が開口領域２９と充填室３を通って装置１内に充填され、血液は次に装置１の貯蔵室８内に流入する。
【００４６】
駆動装置２５を作動させることによって、ピストン５とシリンダ４との間の空間内の圧力を測定するため、圧力センサＳが開口部１６と密閉連結される。
【００４７】
駆動装置３３によって引張り棒３２は、連結装置３４が引張り棒３２とピストン５との機械的連結を自動的に確立するまで下方に移動させられる。
【００４８】
引き続いて、駆動装置３３の動作によって測定を実施するため引張り棒３２が上方に移動させられ、その際に血液は吸引管６を介して貯蔵室８からアパーチャ７を通って吸引される。ピストン５とシリンダ４との間の空間内の圧力がアパーチャ７の閉塞または詰まりの尺度としてセンサＳを使用して継続的に測定される。
【００４９】
駆動装置２３の動作によって攪拌棒１０は継続的に矢印２４の方向で装置１の縦方向に往復移動させられ、貯蔵室８内にある血液は攪拌部１１の移動によって継続的に混ぜ合わされ、移動状態に保たれる。ハウジング体２０内には全測定工程中に貯蔵室８内にある血液を所定の温度に保つ温度計が備えられることに留意されたい。
【００５０】
測定工程の終了時に、ピストン５は引張り棒３２による駆動装置３３の動作によって、キャリッジ部２のストッパ部３１に当接するまで上方に移動され、その際に引張り棒３２が上方にさらに移動されると連結装置３４が解除されるので、ピストン５は引張り棒３２から自動的に分離される。
【００５１】
次に駆動装置３７の動作によってキャリッジ部２６が解放位置に移動して、シリンダ４の上縁部が解放され、装置１を収容室２１から取り出すことができる。（図７ａ）
【００５２】
一般に、本発明はハウジング２内に配置されていて、測定用の血液をそこから取り出し、アパーチャ７を通して搬送可能である貯蔵室８を有する、一次止血の血小板機能、血液の凝集および／または凝固および／または粘性を測定するための流過装置に関するものである。貯蔵室８内には攪拌装置が備えられ、該攪拌装置はその攪拌部１１が測定中に貯蔵室８内にある血液を混合し、流動状態に保つように移動可能である。
【００５３】
攪拌部１１は血液溜めの領域では、すなわち貯蔵室８内では周囲壁の固定面などとは接触しないことが特に有利である。それによって、血液細胞またはその他の血液成分が損傷または圧搾されることを防止できる。すなわちその際に、測定結果にエラーが生ずる可能性がある物質の不要な配分が生ずることがあるからである。
【図面の簡単な説明】
【００５４】
【図１】血液の凝集および／または凝固および／または粘性を検査するための本発明のよる装置の好適な実施形態の部分断面側面図である。
【図２】図１のII−II線に沿った本発明による装置の断面図である。
【図３】図１のIII−III線に沿った本発明による装置の断面図である。
【図４】本発明による装置のピストンとシリンダとの間を密閉する様々な可能性を示した図面である。
【図５】本発明による装置のピストンとシリンダとの間を密閉する様々な可能性を示した図面である。
【図６】本発明による装置のピストンとシリンダとの間を密閉する様々な可能性を示した図面である。
【図７】測定機構が、ピストンの引張り棒を移動させるための駆動装置と、攪拌装置を移動させるための駆動装置と、圧力センサＳを位置合わせするための駆動装置と、キャリッジ部を測定位置または解放位置に移動させることによって、本発明による装置を測定機構内に錠止し、解放するための駆動装置とを備えた、測定機構内に配置された本発明による装置を示した図面である。
【図７ａ】フォーク部が解放位置にあり、測定位置が点線で概略的に示されているキャリッジ部のフォーク部の上面図である。
【図８ａ】本発明による装置のピストンと引張り棒との連結部の好適な実施形態を示す図面である。
【図８ｂ】本発明による装置のピストンと引張り棒との連結部の好適な実施形態を示す図面である。
【図９ａ】本発明による装置のピストンと引張り棒との連結部の別の好適な実施形態を示す図面である。
【図９ｂ】本発明による装置のピストンと引張り棒との連結部の別の好適な実施形態を示す図面である。
【図１０】本発明の装置のピストン／シリンダ機構の別の好適な実施形態を示す図面である。
【図１】
2007522460.tif 000003
【図２】
2007522460.tif 000004
【図３】
2007522460.tif 000005
【図４】
2007522460.tif 000006
【図５】
2007522460.tif 000007
【図６】
2007522460.tif 000008
【図７】
2007522460.tif 000009
【図７ａ】
2007522460.tif 000010
【図８ａ】
2007522460.tif 000011
【図８ｂ】
2007522460.tif 000012
【図９ａ】
2007522460.tif 000013
【図９ｂ】
2007522460.tif 000014
【図１０】
2007522460.tif 000015
【国際調査報告】
2007522460.tif 000016
2007522460.tif 000017
2007522460.tif 000018
2007522460.tif 000019
2007522460.tif 000020
2007522460.tif 000021